(57)【要約】【課題】交流電圧の変動による小容量電源の出力変動への影響を低減させる技術を提供すること。【解決手段】小容量電源３０は、交流電源ＡＣの一端に接続される第１コンデンＣ１と、交流電源の他端に接続される第２コンデンサＣ２と、第１コンデンサおよび第２コンデンサのうち少なくとも一方に対して電気的に直列接続され、コンデンサ容量を調整する、少なくとも一個の調整コンデンサＣ３、Ｃ４と、第１、第２コンデンサ、および調整コンデンサのうちいずれか一個に並列接続され、交流電源からの交流電流を流す状態と遮断する状態とに切替わる、少なくとも一個の切替回路ＳＷ１、ＳＷ２と、交流電源の電圧に応じた電気量ＶＤＤを検出する検出回路７１と、制御装置７０とを備える。制御装置７０は、検出回路７１を介して検出した電気量の検出値に応じて、切替回路を制御して、交流電流の電流経路を切替える。【選択図】図３
2014236560.tif 000002
【特許請求の範囲】
【請求項１】
交流電源の一端に接続される第１コンデンサと、
前記交流電源の他端に接続される第２コンデンサと、
前記第１コンデンサおよび前記第２コンデンサのうち少なくとも一方に対して電気的に直列接続され、コンデンサ容量を調整する、少なくとも一個の調整コンデンサと、
前記第１、第２コンデンサ、および前記調整コンデンサのうちいずれか一個に並列接続され、前記交流電源からの交流電流を流す状態と遮断する状態とに切替わる、少なくとも一個の切替回路と、
前記交流電源に対して前記第１および第２コンデンサの後段に設けられ、交流電圧を整流する整流回路と、
前記整流回路に接続され、整流された交流電圧を平滑して平滑電圧を生成する平滑回路と、
前記交流電源の電圧に応じた電気量を検出する検出回路と、
制御装置とを備え、
前記制御装置は、
前記検出回路を介して検出した前記電気量の検出値に応じて、前記切替回路を制御して、前記交流電流の電流経路を切替える切替処理を実行する、小容量電源。
【請求項２】
請求項１に記載の小容量電源において、
前記制御装置は、
前記切替処理において、前記検出値が下限値未満である場合、前記切替回路の少なくとも一個を、前記交流電流を流す状態に切替えることによって前記電流経路を切替える、小容量電源。
【請求項３】
請求項１または請求項２に記載の小容量電源において、
前記制御装置は、
前記切替処理において、前記検出値が上限値以上である場合、前記切替回路の少なくとも一個を、前記交流電流を遮断する状態に切替えることによって前記電流経路を切替える、小容量電源。
【請求項４】
請求項３に記載の小容量電源において、
前記制御装置は、
前記切替処理において、前記交流電源から当該小容量電源への電力供給開始時に、前記切替回路の少なくとも一個を前記交流電流を流す状態に切替えた後、前記検出値が前記上限値以上である場合、前記交流電流を流す状態に切替えた切替回路を、前記交流電流を遮断する状態に切替える、小容量電源。
【請求項５】
請求項１から請求項４のいずれか一項に記載の小容量電源において、
前記第１コンデンサ、および前記第１コンデンサに対して電気的に直列接続される前記少なくとも一個の調整コンデンサを含むコンデンサ群を備え、
前記切替回路は、前記コンデンサ群に含まれる少なくとも二個のコンデンサに対して設けられている、小容量電源。
【請求項６】
請求項１から請求項４のいずれか一項に記載の小容量電源において、
前記第１コンデンサ、および前記第１コンデンサに対して電気的に直列接続される前記少なくとも一個の調整コンデンサを含む第１コンデンサ群と、
前記第２コンデンサ、および前記第２コンデンサに対して電気的に直列接続される前記少なくとも一個の調整コンデンサを含む第２コンデンサ群と、を備え、
前記切替回路は、前記第１コンデンサ群に含まれる少なくとも一個のコンデンサに対して、および前記第２コンデンサ群に含まれる少なくとも一個のコンデンサに対して設けられている、小容量電源。
【請求項７】
請求項６に記載の小容量電源において、
前記切替回路は、前記第１コンデンサ群に含まれる前記少なくとも一個の調整コンデンサに対して、および前記第２コンデンサ群に含まれる前記少なくとも一個の調整コンデンサに対して設けられている、小容量電源。
【請求項８】
請求項６または請求項７に記載の小容量電源において
前記制御装置は、前記検出値の変動量が所定値より小さい場合は、前記第１および第２コンデンサ群のうち一方のみに含まれる前記切替回路を切替え、前記検出値の変動量が前記所定値以上の場合は、前記第１および第２コンデンサ群の両方に含まれる前記切替回路を切替える、小容量電源。
【請求項９】
請求項１から請求項８のいずれか一項に記載の小容量電源において、
前記平滑回路はツェナーダイオードを含み、
前記検出回路は、前記電気量として前記ツェナーダイオードのツェナー電圧を検出する、小容量電源。
【請求項１０】
請求項１から請求項９のいずれか一項に記載の小容量電源と、スイッチング電源とを含む電源システムと、
前記スイッチング電源から供給される直流電圧を利用して画像を形成する画像形成部と、を備え、
前記制御装置は、前記スイッチング電源を動作状態とする通常モードと、前記スイッチング電源を停止状態とする省電力モードとを切替えるモード切替処理を実行する、画像形成装置。
【発明の詳細な説明】
【技術分野】
【０００１】
本発明は、小容量電源および当該小容量電源を備えた画像形成装置に関し、詳しくは、コンデンサによって交流電源側と直流出力側とを絶縁するコンデンサ絶縁型の小容量電源の出力を安定化させる技術に関する。
【背景技術】
【０００２】
従来、コンデンサ絶縁型の小容量電源として、例えば、特許文献１に記載されたものが知られている。その従来技術文献においては、第１および第２の両コンデンサに印加される交流電圧を整流、平滑化して省電力モード時の電源とする小容量電源に関する技術が開示されている。
【先行技術文献】
【特許文献】
【０００３】
【特許文献１】特開２０１３−０３１３３７号公報
【発明の概要】
【発明が解決しようとする課題】
【０００４】
しかしながら、上記小容量電源では、元来、第１および第２の両コンデンサに流れる交流電流が微小であるため、交流電圧の変動によって、交流電流が変動すると、交流電流の変動の影響が平滑回路の動作に影響し、安定した直流出力が得られない虞があった。
【０００５】
本発明は、交流電圧の変動による小容量電源の出力変動への影響を低減させる技術を提供するものである。
【課題を解決するための手段】
【０００６】
本明細書によって開示される小容量電源は、交流電源の一端に接続される第１コンデンサと、前記交流電源の他端に接続される第２コンデンサと、前記第１コンデンサおよび前記第２コンデンサのうち少なくとも一方に対して電気的に直列接続され、コンデンサ容量を調整する、少なくとも一個の調整コンデンサと、前記第１、第２コンデンサ、および前記調整コンデンサのうちいずれか一個に並列接続され、前記交流電源からの交流電流を流す状態と遮断する状態とに切替わる、少なくとも一個の切替回路と、前記交流電源に対して前記第１および第２コンデンサの後段に設けられ、交流電圧を整流する整流回路と、前記整流回路に接続され、整流された交流電圧を平滑して平滑電圧を生成する平滑回路と、前記交流電源の電圧に応じた電気量を検出する検出回路と、
制御装置とを備え、前記制御装置は、前記検出回路を介して検出した前記電気量の検出値に応じて、前記切替回路を制御して、前記交流電流の電流経路を切替える切替処理を実行する。
【０００７】
本構成によれば、第１、第２コンデンサ、および少なくとも一個の調整コンデンサの容量を適宜設定することと、切替回路によって交流電源に対する第１、第２コンデンサ、および少なくとも一個の調整コンデンサの接続状態を切替えることにより、交流電圧が変動しても、交流電流を調整できる。例えば、交流電圧が低下した際には、交流電流に対するコンデンサ容量が増加するように第１、第２コンデンサ、および調整コンデンサに係る接続状態を切替回路によって切替えることによって、コンデンサに流れる電流容量の低下を抑制できる。それによって、平滑電圧（小容量電源の出力）の低下を抑制できる。すなわち、交流電圧の変動による小容量電源の出力変動への影響を低減させることができる。
【０００８】
上記小容量電源において、前記制御装置は、前記切替処理において、前記検出値が下限値未満である場合、前記切替回路の少なくとも一個を、前記交流電流を流す状態に切替えることによって前記電流経路を切替えるようにしてもよい。
本構成によれば、交流電圧が低下して検出値が下限値未満となっても小容量電源によって供給する電力を確保できる。
【０００９】
また、上記小容量電源において、前記制御装置は、前記切替処理において、前記検出値が上限値以上である場合、前記切替回路の少なくとも一個を、前記交流電流を遮断する状態に切替えることによって前記電流経路を切替えるようにしてもよい。
本構成によれば、交流電圧が上昇しても小容量電源からの漏れ電流を抑制でき、省電力化できる。
【００１０】
また、上記小容量電源において、前記制御装置は、前記切替処理において、前記交流電源から当該小容量電源への電力供給開始時に、前記切替回路の少なくとも一個を前記交流電流を流す状態に切替えた後、前記検出値が前記上限値以上である場合、前記交流電流を流す状態に切替えた切替回路を、前記交流電流を遮断する状態に切替えるようにしてもよい。
本構成によれば、小容量電源の立ち上り時に、切替回路に交流電流を流す状態とされる、すなわち、コンデンサ容量を増加して交流電流が増加される。そのため、小容量電源の立ち上り時間が短縮され、小容量電源によって供給する電力を早急に確保できる。
【００１１】
また、上記小容量電源において、前記第１コンデンサ、および前記第１コンデンサに対して電気的に直列接続される前記少なくとも一個の調整コンデンサを含むコンデンサ群を備え、前記切替回路は、前記コンデンサ群に含まれる少なくとも二個のコンデンサに対して設けられているようにしてもよい。
本構成によれば、２本の交流ラインのいずれか一方に接続されるコンデンサ群の少なくとも二個のコンデンサに切替回路を設けることによって、第１入力コンデンサ、あるいは第２入力コンデンサの容量調整を細密にできる。それによって、小容量電源がＦＧ（フレーム接地）され、半波整流される場合において、好適に容量調整を行える。すなわち、整流回路によって半波整流される場合においても、交流電圧の変動に対して平滑回路による平滑電圧（出力電圧）を所定の範囲に維持できる。
【００１２】
また、上記小容量電源において、前記第１コンデンサ、および前記第１コンデンサに対して電気的に直列接続される前記少なくとも一個の調整コンデンサを含む第１コンデンサ群と、前記第２コンデンサ、および前記第２コンデンサに対して電気的に直列接続される前記少なくとも一個の調整コンデンサを含む第２コンデンサ群と、を備え、前記切替回路は、前記第１コンデンサ群に含まれる少なくとも一個のコンデンサに対して、および前記第２コンデンサ群に含まれる少なくとも一個のコンデンサに対して設けられるようにしてもよい。
本構成によれば、第１コンデンサ群および第２コンデンサ群に対してそれぞれ少なくとも１個の調整コンデンサを設けることで、ＦＧされていない場合において、交流電流の全波に対して、コンデンサ容量調整を行うことができる。その際、調整コンデンサおよび切替回路の個数を適宜設定することによって、交流電圧の変動に対して、所望の精度でコンデンサ容量調整を行うことができる。
【００１３】
その際、前記切替回路は、前記第１コンデンサ群に含まれる前記少なくとも一個の調整コンデンサに対して、および前記第２コンデンサ群に含まれる前記少なくとも一個の調整コンデンサに対して設けられるようにしてもよい。
本構成によれば、第１コンデンサおよび第２コンデンサの容量を所定量として、各コンデンサ群の最大容量（最大電流）を所定値に固定できるとともに、切替回路の個数を低減できる。
【００１４】
また、上記小容量電源において、前記制御装置は、前記検出値の変動量が所定値より小さい場合は、前記第１および第２コンデンサ群のうち一方のみに含まれる前記切替回路を切替え、前記検出値の変動量が前記所定値以上の場合は、前記第１および第２コンデンサ群の両方に含まれる前記切替回路を切替えるようにしてもよい。
本構成によれば、小容量電源がＦＧ（フレーム接地）されていない場合、検出値の変動量に応じて、交流電流を半波単位で変化させることができるため、交流電圧の変動に対して、言い換えれば、平滑電圧の変動に対してより適切な対応ができる。
【００１５】
また、上記小容量電源において、前記平滑回路はツェナーダイオードを含み、前記検出回路は、前記電気量として前記ツェナーダイオードのツェナー電圧を検出するようにしてもよい。
交流電圧が低下に伴って交流電流が低下すると、ツェナー電流が低下する。さらに、ツェナー電流の低下にともなってツェナー電圧も低下する。そのため、ツェナー電圧を検出することによって、交流電圧の低下を検出することができる。また、ツェナー電圧が低下することは小容量電源の出力電圧が低下することを意味し、出力電圧の低下による影響を確実に抑制することができる。
【００１６】
また、本明細書によって開示される画像形成装置は、上記のいずれかに記載の小容量電源とスイッチング電源とを含む電源システムと、前記スイッチング電源から供給される直流電圧を利用して画像を形成する画像形成部と、を備え、前記制御装置は、前記スイッチング電源を動作状態とする通常モードと、前記スイッチング電源を停止状態とする省電力モードとを切替えるモード切替処理を実行する。
本構成によれば、交流電圧が変動する場合であっても、その変動による制御装置によるモード切替処理への影響を低減できる。
【発明の効果】
【００１７】
本発明によれば、切替回路によって交流電源に対する、第１、第２コンデンサ、および少なくとも一個の調整コンデンサの接続状態を切替えることにより、交流電圧が変動しても、変動の影響を低減させるように交流電流を調整できる。それによって、交流電圧の変動による小容量電源の出力変動への影響を低減させることができる。
【図面の簡単な説明】
【００１８】
【図１】実施形態に係る画像形成装置の概略的な構成を示すブロック図
【図２】実施形態に係る電源システムの概略的な構成を示すブロック図
【図３】実施形態に係る小容量電源の構成を示す回路図
【図４】実施形態における電流経路切替処理を概略的に示すフローチャート
【図５】交流電圧と平滑電圧との関係を示すグラフ
【図６】小容量電源の別の構成を概略的に示す回路図
【図７】小容量電源の別の構成を概略的に示す回路図
【図８】小容量電源の別の構成を概略的に示す回路図
【図９】小容量電源の別の構成を概略的に示す回路図
【発明を実施するための形態】
【００１９】
＜実施形態＞
一実施形態について図１から図５を参照して説明する。
【００２０】
１．プリンタの説明
図１は、画像形成装置の一例であるプリンタ１の電気的構成を示すブロック図である。プリンタ１は、印刷部２、通信部３ａ、画像メモリ３ｂ、および電源システム１００を備えている。電源システム１００は、電源部１０と制御部５０とから構成されている。電源部１０はプリンタ１の電源となるものであり、印刷部２、通信部３ａ、画像メモリ３ｂおよび制御部５０に対して電力を供給する。
【００２１】
印刷部２は、感光ドラム２ａ、感光ドラム２ａの表面を帯電させる帯電プロセスを実行する帯電器２ｂ、感光ドラム２ａの表面に静電潜像を形成する露光プロセスを実行する露光装置２ｃ、感光ドラム２ａの表面に形成された静電潜像に現像剤を付着させて現像剤像を形成する現像プロセスを実行する現像器２ｄ、記録媒体に現像剤像を転写する転写プロセスを実行する転写器２ｅ、記録媒体上に転写された現像剤像を定着させる定着プロセスを実行する定着器２ｆ等から構成されている。
【００２２】
印刷部２は帯電プロセス、露光プロセス、現像プロセス、転写プロセス、定着プロセスを実行して、記録媒体上に印刷データを印刷する印刷処理を実行するものである。通信部３ａはＰＣ等の情報端末装置との間で通信を行うものであり、情報端末装置から印刷指示や印刷データを受信する機能を担う。画像メモリ３ｂは、情報端末装置から受信した印刷データを一時記憶するものである。
【００２３】
制御部５０は、ＡＳＩＣ（特定用途向けＩＣ）６０、モード制御回路７０、ＲＯＭ５１、およびＲＡＭ５２等を含む。制御部５０には、印刷部２、通信部３ａ、画像メモリ３ｂ等が接続される。
【００２４】
ＡＳＩＣ６０は、電源としてＤＣ５ＶおよびＤＣ３．３Ｖをスイッチング電源２０から受け取り、主にプリンタ１の印刷部２を制御する。その際、ＡＳＩＣ６０は、ＲＯＭ５１に格納されたプログラムにしたがって印刷部２を制御し、制御結果をＲＡＭ５２に記憶する。
【００２５】
上記プリンタ１は、通信部３ａが情報端末装置から印刷指示を受けて印刷データを受信すると、制御部５０が、印刷部２に帯電プロセス、露光プロセス、現像プロセス、転写プロセス、定着プロセスからなる印刷処理を実行させることで、記録媒体に印刷データを印刷させる。なお、印刷部２の動作電圧は主に２４Ｖであるのに対して、通信部３ａ、画像メモリ３ｂおよび制御部５０の動作電圧は主に３．３Ｖである。
【００２６】
なお、プリンタ１は、動作モードとして通常モードと省電力モードとを有する。通常モードとは、プリンタ１が印刷指示に応答して即座に印刷処理を実行できるモードである。そのため、通常モードにおいては、電源システム１００および制御部５０は動作しており、定着器２ｆは定着可能な温度或いは定着可能な温度よりやや低い温度に維持されるように通電制御されている。また、省電力モードとは、印刷指示が所定時間なくプリンタ１が待機状態にあるモードである。省電力モードでは、電源システム１００および制御部５０は、その一部しか動作しておらず、定着器２ｆは通電されていない状態となっている。
【００２７】
２．電源システムの構成
図２を参照して電源システム１００の構成について説明する。電源システム１００の電源部１０は、スイッチング電源２０および小容量電源回路３０を含む。
【００２８】
２−１．スイッチング電源
スイッチング電源２０は、整流平滑回路２１、制御ＩＣ２２、電圧発生回路２３、トランス２４、ＦＥＴ（電界効果トランジスタ）Ｑ１、整流平滑回路２５、電圧検出回路２６、およびＤＣ−ＤＣコンバータ２７、２８を含む。
【００２９】
スイッチング電源２０は、交流電源ＡＣの交流電圧Ｖａｃを整流平滑化し、通常モードにおいて、例えば、＋２４Ｖ、＋５Ｖおよび＋３．３Ｖの直流電圧を生成する。＋２４Ｖの直流電圧（以下「ＤＣ２４Ｖ」と記す）は第１出力端子ＯＵＴ１から出力され、＋５Ｖの直流電圧（以下「ＤＣ５Ｖ」と記す）は第２出力端子ＯＵＴ２から出力され、＋３．３Ｖの直流電圧（以下「ＤＣ３．３Ｖ」と記す）は第３出力端子ＯＵＴ３から出力される。
【００３０】
整流平滑回路２１は、いわゆるコンデンサインプット型であり、交流電源ＡＣの交流電圧Ｖａｃを整流するブリッジダイオードおよび整流後の電圧を平滑化するコンデンサを含む。整流平滑回路２１の出力は、トランス２４の一次コイルに印加される。
【００３１】
トランジスタＱ１はＮチャンネルのＭＯＳＦＥＴであり、制御ＩＣ２２の出力ポートＯＵＴからゲートにオン・オフ信号（ＰＷＭ信号）が与えられることにより、オン・オフ動作する。これにより、トランス２４の一次側が発振して、トランス２４の二次コイルに電圧を誘起させる。
【００３２】
また、トランス２４の一次側には電圧発生回路２３が設けられている。電圧発生回路２３は、トランス２４の一次側に設けられた補助コイルに誘起される電圧を整流平滑化して、制御ＩＣ２２用の電源電圧Ｖｃｃを生成する。
【００３３】
整流平滑回路２５はトランス２４の二次コイルに誘起された電圧を整流平滑化してＤＣ２４Ｖを生成する。
【００３４】
電圧検出回路２６は、フォトカプラＰＣ１を含み、スイッチング電源２０のＤＣ２４Ｖ出力の検出レベルに応じて、フォトカプラＰＣ１の発光ダイオードＬＥＤ１を発光させる。フォトカプラＰＣ１は、制御ＩＣ２２のフィードバックポートＦＢに接続されたフォトトランジスタＰＴ１を含む。そのため、発光ダイオードＬＥＤ１の光信号はフォトトランジスタＰＴ１にて電気信号に戻され、ＤＣ２４Ｖ出力の検出値が制御ＩＣ２２のフィードバックポートＦＢにフィードバックされる。
【００３５】
ＤＣ−ＤＣコンバータ２７は、ＤＣ２４ＶをＤＣ５Ｖに変換して出力し、ＤＣ−ＤＣコンバータ２８は、ＤＣ５ＶをＤＣ３．３Ｖに変換して出力する。
【００３６】
制御ＩＣ２２は、制御入力ポートＥＮに入力される制御パルス信号Ｓｃｐに応じてトランジスタＱ１へのオン・オフ信号を制御し、トランス２４の一次側の発振を制御する。制御ＩＣ２２は、通常モードにおいては、トランス２４の一次側を発振させて、各ＤＣ電圧を生成し、省電力モードにおいては、トランジスタＱ１へのオン・オフ信号の出力を停止して、トランス２４の一次側の発振を停止させる。すなわち、省電力モードにおいては、スイッチング電源２０からＤＣ電圧は出力されない。なお、プリンタ１の省電力モードから通常モードへの復帰時には、制御部５０から制御パルス信号Ｓｃｐが制御入力ポートＥＮに入力され、制御パルス信号Ｓｃｐに応じてトランス２４の一次側の発振が開始され、各ＤＣ電圧がスイッチング電源２０から出力される。すなわち、プリンタ１の通常モードにおいてスイッチング電源２０は出力モードとされ、プリンタ１の省電力モードにおいてスイッチング電源２０は出力停止モードとされ、スイッチング電源２０はその動作を停止する。
【００３７】
２−２．小容量電源
小容量電源３０は、スイッチング電源２０の電源容量より小さい電源容量を有する。小容量電源３０は、交流電源ＡＣの一端に接続される第１コンデンサＣ１、および交流電源ＡＣの他端に接続される第２コンデンサＣ２を含み、コンデンサＣ１、Ｃ２によって交流電源側と直流出力側とを絶縁するコンデンサ絶縁型の小容量電源である。
【００３８】
小容量電源３０は、さらに、調整コンデンサＣ３、Ｃ４、第１スイッチ（切替回路の一例）ＳＷ１、第２スイッチ（切替回路の一例）ＳＷ２、整流回路３１、平滑回路３２、発振制御部５３、スイッチ制御回路（制御装置の一例）５４、およびモード制御回路（制御装置の一例）７０等を含む。小容量電源３０は、省電力モードおよび通常モードにおいてモード制御回路７０に電力を供給する。すなわち、小容量電源３０は、スイッチング電源２０の停止中において、モード制御回路７０に電力を供給する。
【００３９】
調整コンデンサＣ３は第１コンデンサＣ１に対して電気的に直列接続され、第１スイッチＳＷ１の切替え状態に応じてコンデンサ容量を調整し、調整コンデンサＣ４は第２コンデンサＣ２に対して電気的に直列接続され、第２スイッチＳＷ２の切替え状態に応じてコンデンサ容量を調整する。以下、第１交流ラインＬａｃ１に接続される第１コンデンサＣ１および調整コンデンサＣ３を、第１入力コンデンサ（第１コンデンサ群の一例）と呼び、第２交流ラインＬａｃ２に接続される第２コンデンサＣ２および調整コンデンサＣ４を、第２入力コンデンサ（第２コンデンサ群の一例）と呼ぶ。
【００４０】
第１スイッチＳＷ１は調整コンデンサＣ３に並列接続され、交流電源ＡＣからの交流電流を流す状態と遮断する状態とを切替える。交流電流を流す状態に切替える場合、コンデンサ容量は「Ｃ１」となり、交流電流を遮断する状態に切替える場合、コンデンサ容量は「Ｃ１＊Ｃ３／（Ｃ１＋Ｃ３）」となる。ここで、符号「Ｃ１」は、第１コンデンサの参照符号を示すとともに、第１コンデンサの容量を示すものとする。他のコンデンサについても同様である。
【００４１】
第２スイッチＳＷ２は調整コンデンサＣ４に並列接続され、交流電源ＡＣからの交流電流を流す状態と遮断する状態とを切替える。交流電流を流す状態に切替える場合、コンデンサ容量は「Ｃ２」となり、交流電流を遮断する状態に切替える場合、コンデンサ容量は「Ｃ２＊Ｃ４／（Ｃ２＋Ｃ４）」となる。
【００４２】
調整コンデンサＣ３、Ｃ４が設けられない、従来の場合の第１コンデンサＣ１および第２コンデンサＣ２のコンデンサ容量が、例えば、１５００ｐＦ（ピコファラッド）とされる場合、本実施形態では、各コンデンサ容量は、例えば、
Ｃ１＝Ｃ２＝Ｃ３＝Ｃ４＝３３００ｐＦとされる。すなわち、各スイッチＳＷ１、ＳＷ２がオフされ、直列接続されるコンデンサの合成容量（１６５０ｐＦ）が、従来のコンデンサ容量にほぼ等しくなるように各コンデンサ容量が選定される。そのため、各スイッチＳＷ１、ＳＷ２がオンされる場合、コンデンサ容量が３３００ｐＦと増加し、それによって、電流容量が増加する。なお、各コンデンサ容量の選定は、上記に限られず、後述する、交流電圧Ｖａｃの変動に対する平滑電圧ＶＤＤの維持範囲に応じて、適宜、選定可能である。
【００４３】
また、本実施形態では、第１、第２スイッチＳＷ１、ＳＷ２は、図３に示されるように、例えば、直列接続された２個のＮチャネルＭＯＳＦＥＴ（電界効果トランジスタ）によって構成される。
【００４４】
整流回路３１は、交流電源ＡＣに対して第１および第２コンデンサＣ１、Ｃ２の後段に設けられ、交流電圧Ｖａｃを整流する。本実施形態では、整流回路３１は、４個のダイオードＤ１，Ｄ２，Ｄ３，Ｄ４からなるブリッジ回路によって構成される。ダイオードＤ１およびダイオードＤ２のカソードは第１接続点Ｎｄ１において接続され、ダイオードＤ１のアノードは調整コンデンサＣ３に接続され、ダイオードＤ２のアノードは調整コンデンサＣ４に接続される。
【００４５】
また、ダイオードＤ３およびダイオードＤ４のアノードは第２接続点Ｎｄ２において接続され、ダイオードＤ３のカソードは調整コンデンサＣ３に接続され、ダイオードＤ４のカソードは調整コンデンサＣ４に接続される。第２接続点Ｎｄ２は、例えば、基準電位Ｖｇｄ（０Ｖ）とされる。
【００４６】
平滑回路３２は、整流回路３１に接続され、整流された交流電圧を平滑して平滑電圧ＶＤＤを生成する。平滑回路３２は、平滑蓄電コンデンサＣＳ１およびツェナーダイオードＺＤ１を含む。ツェナーダイオードＺＤ１は、交流電源ＡＣの交流電圧Ｖａｃが上昇した場合に、平滑電圧ＶＤＤの上昇を抑制するためのものである。本実施形態では、ツェナーダイオードＺＤ１のツェナー電圧は、例えば５Ｖとされ、平滑電圧ＶＤＤは、ほぼ５Ｖとなる。平滑電圧ＶＤＤは、小容量電源３０の出力電圧に相当し、モード制御回路７０のポートＰ１に供給される。
【００４７】
平滑蓄電コンデンサＣＳ１の充電する充電電力は、省電力モードから通常モードに切り換わる際に、フォトカプラＰＣ２のＬＥＤ２の駆動電流に使用される。平滑蓄電コンデンサＣＳ１の容量を適宜に選定することによって、省電力モードにおいて、所定電圧の必要に応じた電力量を蓄電することができる。本実施形態では、フォトカプラＰＣ２の発光ダイオードＬＥＤ２を確実に駆動させる電力量を蓄電することができる。そのため、スイッチング電源２０を確実に再起動させることができる。
【００４８】
スイッチ制御回路５４は、図３に示されるように、例えば、平滑電源ラインＬｄｃに接続されるＰチャネルＭＯＳＦＥＴ（電界効果トランジスタ）Ｑ３を含む。電界効果トランジスタＱ３は、モード制御回路７０のポートＰ５からのゲート信号に応じてオンし、ＤＣ５Ｖである制御信号Ｓｃｎを第１、第２スイッチＳＷ１、ＳＷ２の各ＮチャネルＭＯＳＦＥＴのゲートに供給することによって、各ＮチャネルＭＯＳＦＥＴをオンさせる。これによって、第１、第２スイッチＳＷ１、ＳＷ２は、交流電源ＡＣからの交流電流を流す状態に切替わる。
【００４９】
モード制御回路７０は、Ａ／Ｄ（アナログ／デジタル）コンバータ７１を含む。Ａ／Ｄコンバータ７１は、平滑電源ラインＬｄｃに接続され平滑電圧ＶＤＤが入力されるポートＰ４に接続され、平滑電圧（検出値の一例）ＶＤＤを検出するとともに、アナログ量である平滑電圧ＶＤＤをデジタル値の平滑電圧ＶＤＤに変換する。モード制御回路７０はデジタル値の平滑電圧ＶＤＤによって、平滑電圧ＶＤＤを検出する。ここで、モード制御回路７０およびＡ／Ｄコンバータ７１は、検出回路の一例である。モード制御回路７０は、例えば、ＣＰＵを含むＡＳＩＣによって構成されてもよいし、あるいはＣＰＵとＡ／Ｄコンバータ７１とによって構成されてもよい。
【００５０】
また、平滑電圧ＶＤＤは、「交流電源の電圧に応じた電気量」の一例である。それは以下の理由による。すなわち、ツェナーダイオードＺＤ１の逆電流の使用領域により、ツェナー電圧は必ずしも一定ではない。特に、本実施形態のように電源容量が小さく、ツェナー逆電流が小さい領域でツェナーダイオードＺＤ１を使用する場合、ツェナー電圧（平滑電圧）は、ツェナーダイオードＺＤ１の特性により、ツェナー逆電流に応じて、すなわち交流電圧Ｖａｃに応じて変化する。例えば、交流電圧Ｖａｃが低下すると、整流電流が低下し、それによってツェナー電圧が低下する。そのため、ツェナー電圧にほぼ等しい平滑電圧ＶＤＤを検出することによって、交流電圧Ｖａｃの変化を検出することができる。
【００５１】
モード制御回路７０は、検出された平滑電圧ＶＤＤに応じて、ポートＰ５からスイッチ制御回路５４を制御する信号を出力する。すなわち、モード制御回路７０は、スイッチ制御回路５４を介して第１、第２スイッチＳＷ１、ＳＷ２を制御して、交流電流の電流経路を切替える。
【００５２】
また、モード制御回路７０は、例えば、ユーザのスイッチＳ１によるプリンタ１のモード切替によってポートＰ２に入力される信号に応じて、スイッチング電源２０を、出力モードと、スイッチング電源２０の発振を停止させる出力停止モードとに切替える。すなわち、モード制御回路７０は、発振制御部５３のトランジスタＱ２のベースに接続され、ポートＰ３から制御パルス信号ＳｃｐをトランジスタＱ２のベースに供給することによって発振制御部５３のフォトカプラＰＣ２に含まれる発光ダイオードＬＥＤ２を発光させる。それによって、スイッチング電源２０の制御ＩＣ２２の制御入力ポートＥＮに接続された、フォトカプラＰＣ２に含まれるフォトトランジスタＰＴ２が制御される。すなわち、モード制御回路７０は、制御パルス信号Ｓｃｐによって、スイッチング電源２０を出力モード（通常モードの一例）と出力停止モード（省電力モードの一例）とを切替える処理（モード切替処理の一例）を行う。
【００５３】
なお、スイッチング電源２０の出力モードから出力停止モードへの移行は、ユーザによるスイッチＳ１の操作によらず、所定時間処理すべき印刷データが無く、且つユーザによるプリンタ１に対する操作が行われない状態が継続した場合に行われるようにしてもよい。
【００５４】
また、小容量電源３０の構成は、図２に示されたものに限られない。例えば、整流回路３１は半波整流回路とする構成であってもよい。また、第２接続点Ｎｄ２は接地されてもよい。すなわち、プリンタ１は、フレーム接地（ＦＧ）されてもよい。また、平滑電圧ＶＤＤを所定の電圧に変化するリニアレギュレータを含んでもよい。また、蓄電用コンデンサを含んでもよいし、発振制御部５３は含まなくてもよい。
【００５５】
３．電流経路切替処理
次に、図４および図５を参照して、電流経路切替処理（切替処理の一例）について説明する。電流経路切替処理は、例えば、プリンタ１の電源プラグが電源コンセントに挿入されて、プリンタ１にＡＣ電源が投入されると、主に、モード制御回路７０によって実行される。すなわち、電流経路切替処理は、プリンタ１の電源オンとともに開始され、プリンタ１の電源オフによって終了する。
モード制御回路７０は、電流経路切替処理において、検出された平滑電圧ＶＤＤに応じて、スイッチ制御回路５４を介して第１、第２スイッチＳＷ１、ＳＷ２を制御して、交流電流の電流経路を切替える。なお、電流経路切替処理において、平滑電圧ＶＤＤは、Ａ／Ｄコンバータ７１およびモード制御回路７０によって所定の時間毎に検出されるものとする。
【００５６】
モード制御回路７０は、プリンタ１にＡＣ電源が投入されると、まず、スイッチ制御回路５４を介して第１、第２スイッチＳＷ１、ＳＷ２をオン（ＯＮ）させる（ステップＳ１１０）。すなわち、第１、第２スイッチＳＷ１、ＳＷ２を、交流電流を流す状態に切替える。この場合、第１入力コンデンサは第１コンデンサＣ１のみとなり、第２入力コンデンサは第２コンデンサＣ２のみとなる。この場合、第１入力コンデンサおよび第２入力コンデンサの容量は、１６５０ｐＦから３３００ｐＦに増加する。
【００５７】
次いで、モード制御回路７０は、平滑電圧ＶＤＤが第１閾値電圧Ｖｔｈ１以上か否かを判断する（ステップＳ１２０）。ここで、第１閾値電圧Ｖｔｈ１は、例えば、４．８Ｖとされる（図５参照）。平滑電圧ＶＤＤが第１閾値電圧Ｖｔｈ１以上でないと判断した場合（ステップＳ１２０：ＮＯ）、第１、第２スイッチＳＷ１、ＳＷ２のオン状態を継続する。一方、平滑電圧ＶＤＤが第１閾値電圧Ｖｔｈ１以上と判断した場合（ステップＳ１２０：ＹＥＳ）、第１、第２スイッチＳＷ１、ＳＷ２を、オン状態からオフ状態に切替える（ステップＳ１３０）。すなわち、第１、第２スイッチＳＷ１、ＳＷ２を、交流電流を流す状態から交流電流を遮断する状態に切替える。これによって、第１入力コンデンサは第１コンデンサＣ１と調整コンデンサＣ３との直列接続となり、第２入力コンデンサ群は第２コンデンサＣ２と調整コンデンサＣ４との直列接続となる。この場合、第１入力コンデンサおよび第２入力コンデンサの容量は、３３００ｐＦから１６５０ｐＦに減少する。
【００５８】
このように、本実施形態では、小容量電源３０の立ち上り時、第１、第２スイッチＳＷ１、ＳＷ２をオンして、第１、第２スイッチＳＷ１、ＳＷ２は、交流電流を流す状態とされる。すなわち、コンデンサ容量を増加して交流電流が増加される。それによって、整流電流、すなわち平滑蓄電コンデンサＣＳ１の充電電流が増加し、平滑蓄電コンデンサＣＳ１の充電時間が短縮される。その結果、小容量電源３０によって供給する所定電力を早急に確保できる。
【００５９】
なお、ステップＳ１１０〜Ｓ１３０までの小容量電源３０の立ち上り時に係る処理を実行するために、例えば、平滑蓄電コンデンサＣＳ１として蓄電時間の長い電気二重層コンデンサを使用することが好ましい。あるいは、第１、第２スイッチＳＷ１、ＳＷ２として、２個のＮチャネルＭＯＳＦＥＴに代えて、非通電時にオン状態にある接点を有する２個のラッチングリレーを使用するようにしてもよい。電気二重層コンデンサあるいはラッチングリレーを使用することによって、プリンタ１の電源オン時に、第１入力コンデンサを第１コンデンサＣ１のみとり、第２入力コンデンサを第２コンデンサＣ２のみとすることができる。
【００６０】
次いで、モード制御回路７０は、平滑電圧ＶＤＤが第２閾値電圧Ｖｔｈ２未満か否かを判断する（ステップＳ１４０）。ここで、第２閾値電圧（下限値の一例）Ｖｔｈ２は、例えば、３．２Ｖとされる（図５参照）。平滑電圧ＶＤＤが第２閾値電圧Ｖｔｈ２未満でないと判断した場合（ステップＳ１４０：ＮＯ）、第１、第２スイッチＳＷ１、ＳＷ２のオフ状態を継続する。
【００６１】
一方、小容量電源３０の動作中に交流電圧Ｖａｃが低下し始めて（図５の時刻ｔ０参照）、平滑電圧ＶＤＤが第２閾値電圧Ｖｔｈ２未満まで低下すると、平滑電圧ＶＤＤが第２閾値電圧Ｖｔｈ２未満であると判断し（ステップＳ１４０：ＹＥＳ）、第１、第２スイッチＳＷ１、ＳＷ２をオンする（ステップＳ１５０）。このタイミングは、図５の時刻ｔ１に相当する。第１、第２スイッチＳＷ１、ＳＷ２がオンされることによって、第１入力コンデンサおよび第２入力コンデンサの容量は、１６５０ｐＦから３３００ｐＦに増加するため、整流電流が増加することによってツェナー逆電流が増加する。それによってツェナー電圧、すなわち、平滑電圧ＶＤＤが増加することになる。
【００６２】
このように、モード制御回路７０は、平滑電圧ＶＤＤが第２閾値電圧Ｖｔｈ２未満である場合、第１、第２スイッチＳＷ１、ＳＷ２を、交流電流を流す状態に切替えることによって電流経路を切替える。これによって、交流電圧Ｖａｃが所定電圧から低下して平滑電圧ＶＤＤが第２閾値電圧Ｖｔｈ２未満に低下することがあっても、平滑電圧ＶＤＤを増加させることができ、小容量電源３０によって供給する電力を確保できる。
【００６３】
なお、第１、第２スイッチＳＷ１、ＳＷ２双方を、交流電流を流す状態に切替えることによって電流経路を切替えることには限られず、第１、第２スイッチＳＷ１、ＳＷ２の少なくとも一方を、交流電流を流す状態に切替えるようにすればよい。すなわち、第１入力コンデンサおよび第２入力コンデンサの少なくとも一方の容量を、１６５０ｐＦから３３００ｐＦに増加させることによって、第１交流ラインＬａｃ１および第２交流ラインＬａｃ２の少なくとも一方を流れる交流電流（半周期の交流電流）を増加させることができ、それによって平滑電圧ＶＤＤを増加させることができる。
【００６４】
次いで、モード制御回路７０は、平滑電圧ＶＤＤが第１閾値電圧Ｖｔｈ１以上か否かを判断する（ステップＳ１６０）。平滑電圧ＶＤＤが第１閾値電圧Ｖｔｈ１以上でないと判断した場合（ステップＳ１６０：ＮＯ）、第１、第２スイッチＳＷ１、ＳＷ２のオン状態を継続する。
【００６５】
一方、第１、第２スイッチＳＷ１、ＳＷ２がオン状態とされたことによって平滑電圧ＶＤＤが第１閾値電圧Ｖｔｈ１まで増加すると、平滑電圧ＶＤＤが第１閾値電圧Ｖｔｈ１以上であると判断し（ステップＳ１６０：ＹＥＳ）、第１、第２スイッチＳＷ１、ＳＷ２をオフする（ステップＳ１７０）。このタイミングは、図５の時刻ｔ２に相当する。第１、第２スイッチＳＷ１、ＳＷ２がオフされることによって、第１入力コンデンサおよび第２入力コンデンサの容量は、３３００ｐＦから１６５０ｐＦに減少するため、整流電流が減少することによってツェナー逆電流が減少する。それによってツェナー電圧、すなわち、平滑電圧ＶＤＤが減少することになる。
【００６６】
次いで、モード制御回路７０は、ステップＳ１４０の処理に戻り、ステップＳ１４０からステップＳ１７０の動作を繰り返す。その際、平滑電圧ＶＤＤの変化に応じて、第１、第２スイッチＳＷ１、ＳＷ２のオン（時刻ｔ３、ｔ５参照）と、オフ（時刻ｔ４、ｔ６参照）が繰り返される。それによって、小容量電源３０の動作中に交流電圧Ｖａｃが低下した場合であっても、図５に示されるように、平滑電圧ＶＤＤは、第２閾値電圧Ｖｔｈ２（３．２Ｖ）と第１閾値電圧Ｖｔｈ１（４．８Ｖ）との間に維持される。
【００６７】
なお、電源投入時のステップＳ１２０における第１閾値電圧Ｖｔｈ１と、ステップＳ１６０における第１閾値電圧Ｖｔｈ１とを、ともに４．８Ｖとする例を示したがこれに限られない。例えば、ステップＳ１２０における第１閾値電圧Ｖｔｈ１を、５．２Ｖとしてもよい。
【００６８】
また、ステップＳ１３０およびステップＳ１７０における第１、第２スイッチＳＷ１、ＳＷ２のオフ、およびステップＳ１５０における第１、第２スイッチＳＷ１、ＳＷ２のオンを、一個のスイッチ制御回路５４によって、第１、第２スイッチＳＷ１、ＳＷ２、共に行う例を示したが、これに限られない。スイッチ制御回路５４を各スイッチＳＷ１、ＳＷ２に対して個別に設けて、各スイッチＳＷ１、ＳＷ２を個別にオン・オフできるようにして、第１、第２スイッチＳＷ１、ＳＷ２のいずれかをオン・オフするようにしてもよい。
【００６９】
また、両調整コンデンサＣ３、Ｃ４のいずれか、およびそれに伴って第１、第２スイッチＳＷ１、ＳＷ２のいずれか、が省略されてもよい。
【００７０】
また、小容量電源３０の立ち上り時の処理であるステップＳ１１０〜Ｓ１３０までの処理は、必ずしも必要でなく、省略されてもよい。
【００７１】
３．本実施形態の効果
第１、第２コンデンサＣ１、Ｃ２、および調整コンデンサＣ３、Ｃ４の容量を適宜設定することと、第１、第２スイッチＳＷ１、ＳＷ２によって交流電源ＡＣに対する第１、第２コンデンサＣ１、Ｃ２、および調整コンデンサＣ３、Ｃ４の接続状態を切替えることにより、交流電圧Ｖａｃが変動しても、交流電流を調整できる。交流電圧Ｖａｃが所定電圧から低下した際には、コンデンサ容量が増加するように第１、第２スイッチＳＷ１、ＳＷ２をオンすることによって、交流電圧Ｖａｃの低下によるコンデンサの電流容量の低下を抑制できる。それによって、交流電圧Ｖａｃが低下した場合であっても、平滑電圧ＶＤＤの低下を抑制でき、平滑電圧ＶＤＤによって動作する電子部品が動作停止となることを抑制できる。
【００７２】
＜他の実施形態＞
本発明は上記記述及び図面によって説明した実施形態に限定されるものではなく、例えば次のような実施形態も本発明の技術的範囲に含まれる。
【００７３】
（１）上記実施形態においては、第１、第２スイッチ（切替回路）ＳＷ１、ＳＷ２を、２個のＮチャネルＭＯＳＦＥＴで構成し、スイッチ制御回路５４をＰチャネルＭＯＳＦＥＴで構成する例を示したが、これに限られない。例えば、第１、第２スイッチＳＷ１、ＳＷ２は、ラッチングリレーで構成され、スイッチ制御回路５４はラッチングリレーをオン・オフするリレー制御回路で構成されてもよい。
【００７４】
（２）上記実施形態において、図４のステップＳ１６０およびＳ１７０の処理を省略してもよい。この場合であっても、小容量電源３０の動作中に交流電圧Ｖａｃが所定電圧から低下した場合において、平滑電圧ＶＤＤが第２閾値電圧Ｖｔｈ２未満に低下することを抑制できる。
【００７５】
（３）上記実施形態においては、電流経路切替処理を、小容量電源３０の動作中に交流電圧Ｖａｃが所定電圧から低下した場合に行う例を示したが、これに限られない。例えば、第１閾値電圧Ｖｔｈ１を６．０Ｖと高く設定することによって、小容量電源３０の動作中に交流電圧Ｖａｃが所定電圧から上昇した場合にも、適用できる。この場合、交流電圧Ｖａｃが所定電圧から上昇しても小容量電源３０からの漏れ電流を抑制でき、省電力化できる。
【００７６】
（４）上記実施形態においては、交流電源の電圧Ｖａｃに応じた電気量を平滑電圧ＶＤＤとし、検出回路をモード制御回路７０およびＡ／Ｄコンバータ７１によって構成する例を示したが、これに限られない。交流電源の電圧に応じた電気量を、交流電圧Ｖａｃ、それ自体として、検出回路を、交流電圧Ｖａｃを検出する回路として構成するようにしてもよい。この場合であっても、交流電圧Ｖａｃの変化に応じて、例えば、交流電圧Ｖａｃの低下に応じて上記電流経路切替処理を行うことによって、平滑電圧ＶＤＤの低下を抑制することができる。
【００７７】
（５）上記実施形態においては、第１入力コンデンサ（第１コンデンサ群）を、第１コンデンサＣ１と一個の調整コンデンサＣ３によって構成し、第２入力コンデンサ（第２コンデンサ群）を、第２コンデンサＣ２と一個の調整コンデンサＣ４によって構成し、調整コンデンサＣ３と並列に第１スイッチＳＷ１を設け、調整コンデンサＣ４と並列に第２スイッチＳＷ２を設ける構成を示したが、第１入力コンデンサ、第２入力コンデンサ、およびスイッチＳＷの構成は、これに限られない。
【００７８】
要は、第１コンデンサＣ１および第２コンデンサＣ２のうち少なくとも一方に対して電気的に直列接続され、コンデンサ容量を調整する、少なくとも一個の調整コンデンサが設けられればよい。また、第１、第２コンデンサＣ１、Ｃ２、および調整コンデンサのうちいずれか一個に並列接続され、交流電源ＡＣからの交流電流を流す状態と遮断する状態とに切替わる、少なくとも一個のスイッチＳＷが設けられればよい。
この場合、第１、第２コンデンサＣ１、Ｃ２、および少なくとも一個の調整コンデンサの容量を適宜設定することと、スイッチＳＷ（切替回路）によって交流電源に対する第１、第２コンデンサ、および少なくとも一個の調整コンデンサの接続状態を切替えることにより、交流電圧が所定電圧から変動しても、交流電流を調整できる。例えば、交流電圧が低下した際には、交流電流に対するコンデンサ容量が増加するように第１、第２コンデンサ、および調整コンデンサに係る接続状態を少なくとも一個のスイッチＳＷによって切替えることによって、入力コンデンサに流れる電流容量の低下を抑制できる。それによって、平滑電圧ＶＤＤの低下を抑制できる。
【００７９】
（６）例えば、図６に示されるように、第１コンデンサＣ１、および第１コンデンサＣ１に対して電気的に直列接続される少なくとも一個の調整コンデンサを含むコンデンサ群（Ｃ１、Ｃ３、…、Ｃ２ｎ−１：ｎは２以上の整数）を備え、スイッチＳＷ（切替回路）は、コンデンサ群に含まれる少なくとも二個のコンデンサに対して設けられているようにしてもよい。なお、図７には、第１コンデンサＣ１にはスイッチＳＷが設けられない場合が示される。
この場合、２本の交流ラインＬａｃ１、Ｌａｃ２のいずれか一方（図６には交流ラインＬａｃ１の場合が例示されている）の少なくとも二個のコンデンサにスイッチＳＷを設け、また各スイッチＳＷに対してスイッチ制御回路を設けることによって、第１入力コンデンサ、あるいは第２入力コンデンサの容量調整を細密にできる。それによって、プリンタ１がＦＧされ、半波整流される場合において、好適に容量調整を行える。すなわち、整流回路３１によって半波整流される場合においても、交流電圧Ｖａｃの変動に対して平滑電圧ＶＤＤを所定の範囲に維持できる。また、その際、第１閾値電圧Ｖｔｈ１および第２閾値電圧Ｖｔｈ２をそれぞれ電圧値の異なる複数個、設定することによって、平滑電圧ＶＤＤを所望の精度で制御できる。
【００８０】
その際、図６に示されるように、第１コンデンサＣ１にもスイッチＳＷが設けられる場合、第１コンデンサＣ１も調整コンデンサとすることができ、第１コンデンサＣ１の容量選択の幅が広がる。また、図７に示されるように、第１コンデンサＣ１にスイッチＳＷが設けられない場合、第１コンデンサＣ１の容量を所定量として、第１コンデンサ群の最大容量（最大電流）をその所定値に固定できるとともに、スイッチＳＷおよびスイッチ制御回路の個数を低減できる。
【００８１】
（７）また、図８に示されるように、第１コンデンサＣ１、および第１コンデンサＣ１に対して電気的に直列接続される少なくとも一個の調整コンデンサを含む第１コンデンサ群（Ｃ１、Ｃ３、…Ｃ２ｎ−１：ｎは２以上の整数）と、第２コンデンサＣ２、および第２コンデンサＣ２に対して電気的に直列接続される少なくとも一個の調整コンデンサを含む第２コンデンサ群（Ｃ２、Ｃ４、…Ｃ２ｎ：ｎは２以上の整数）と、を備え、スイッチ（切替回路）ＳＷが、第１コンデンサ群に含まれる少なくとも一個のコンデンサに対して、および第２コンデンサ群に含まれる少なくとも一個のコンデンサに対して設けられるようにしてもよい。図８には、第１、第２コンデンサＣ１、Ｃ２にもスイッチＳＷが設けられる場合が示され、図９には、第１、第２コンデンサＣ１、Ｃ２にはスイッチＳＷが設けられない場合が示される。
この場合、第１コンデンサＣ１および第２コンデンサＣ２に対してそれぞれ少なくとも１個の調整コンデンサが設けられ、第１コンデンサ群および第２コンデンサ群に含まれる少なくとも一個のコンデンサに対してスイッチＳＷが設けられる。それによって、ＦＧされていない場合において、すなわち、整流回路３１によって全波整流される場合において、好適に第１、第２入力コンデンサ（第１、第２コンデンサ群）の容量調整を行うことができる。その際、調整コンデンサおよびスイッチＳＷの個数を適宜設定し、また、各スイッチＳＷに対してスイッチ制御回路を設けることによって、交流電圧の変動に対して、所望の精度でコンデンサ容量調整を行うことができる。また、その際、第１閾値電圧Ｖｔｈ１および第２閾値電圧Ｖｔｈ２をそれぞれ電圧値の異なる複数個、設定することによって、平滑電圧ＶＤＤを所望の精度で制御できる。
【００８２】
その際、図８に示されるように、第１コンデンサＣ１および第２コンデンサＣ２にもスイッチＳＷが設けられる場合、第１、第２コンデンサＣ１、Ｃ２も調整コンデンサとすることができ、第１、第２コンデンサＣ１、Ｃ２の容量選択の幅が広がる。
【００８３】
（８）また、図９に示されるように、スイッチＳＷを、第１コンデンサＣ１および第２コンデンサＣ２を除いて、第１コンデンサ群に含まれる少なくとも一個の調整コンデンサに対して、および第２コンデンサ群に含まれる少なくとも一個の調整コンデンサに対して設けるようにしてもよい。
この場合、第１コンデンサＣ１および第２コンデンサＣ２の容量を所定量として、各コンデンサ群の最大容量（最大電流）をその所定値に固定できるとともに、スイッチＳＷおよびスイッチ制御回路の個数を低減できる。
【００８４】
（９）また、図８または図９において示される例において、モード制御回路７０（制御装置）は、平滑電圧ＶＤＤ（検出値）の変動量が所定値より小さい場合は、第１および第２コンデンサ群のうち一方のみに含まれるスイッチＳＷ（切替回路）を切替え、平滑電圧ＶＤＤの変動量が所定値以上の場合は、第１および第２コンデンサ群の両方に含まれるスイッチＳＷを切替えるようにしてもよい。
この場合、小容量電源３０がＦＧされていない場合、平滑電圧ＶＤＤの変動量に応じて、交流電流を半波単位で変化させることができるため、交流電圧Ｖａｃの変動に対して、言い換えれば、平滑電圧ＶＤＤの変動に対してより適切な対応ができる。
【００８５】
（１０）上記各実施形態において、本明細書によって開示される小容量電源３０を画像形成装置に適用した例を示すが、これに限られない。小容量電源３０は、通常モードと省電力モードとを有するあらゆる装置に適用できる。また、制御装置は、モード制御回路に限られない。
【符号の説明】
【００８６】
１…プリンタ、２０…スイッチング電源、３０…小容量電源、３１…整流回路、３２…平滑回路、３３…ＤＣ−ＤＣコンバータ、５０…制御部、７０…制御装置、７１…Ａ／Ｄコンバータ、１００…電源システム、Ｃ１…第１コンデンサ、Ｃ２…第２コンデンサ、Ｃ３…調整コンデンサ、Ｃ４…調整コンデンサ、ＣＳ１…平滑蓄電コンデンサ、ＳＷ１，ＳＷ２…第１、第２スイッチ、ＺＤ１…ツェナーダイオード
【図１】
2014236560.tif 000003
【図２】
2014236560.tif 000004
【図３】
2014236560.tif 000005
【図４】
2014236560.tif 000006
【図５】
2014236560.tif 000007
【図６】
2014236560.tif 000008
【図７】
2014236560.tif 000009
【図８】
2014236560.tif 000010
【図９】
2014236560.tif 000011